(57)【要約】      （修正有）【課題】ポンプが不要な入浴用水素水混合装置を提供する。【解決手段】入浴用水素水混合装置は、本体１、入水コネクター２、水素ガスコネクター３を有する。本体１は、三叉構造で、頂部に入水口を開設し、側辺に入気口を連通し、入水口の下端は出水口を連接する。入水コネクター２は、本体１の入水口に螺設され、水素ガスコネクター３は、本体１の入気口に螺設される。入浴用水素水混合装置は入水端の上水道と水素生成器の水素ガスを十分に混合し、出水口から高濃度の水素水を提供し、入浴或いは手足や顔の洗浄に供し、水素生成器の応用範囲を広げられ、既存設備を大きく変更しなくとも水素水が得られ非常に便利で、高い進歩性と産業応用価値を備えている。【選択図】図１
0003232558.tif 000002
【実用新案登録請求の範囲】
【請求項１】
入浴用水素水混合装置であって、本体、入水コネクター、水素ガスコネクターを有し、
前記本体は、三叉構造で、頂部には、入水口を開設し、前記入水口は、前記本体内部まで下方へと延伸し、側辺には入気口を連通し、しかも前記入水口下端はさらに出水口を連接し、
前記入水コネクターは、前記本体の入水口位置に組み付けられ、
前記水素ガスコネクターは、前記本体の入気口位置に組み付けられる
ことを特徴とする
入浴用水素水混合装置。
【請求項２】
前記入水口内の環状縁には、ネジ山部を螺設し、前記入気口内の環状縁にも、ネジ山部を螺設し、前記出水口底部外の環状縁にも、ネジ山部を螺設する
ことを特徴とする
請求項１に記載の入浴用水素水混合装置。
【請求項３】
前記出水口内部は、上が広く、下が狭いラッパ型形状を呈する
ことを特徴とする
請求項１に記載の入浴用水素水混合装置。
【請求項４】
前記入水コネクター中央には、穿孔を貫通するように設置し、前記入水コネクター頂部には、ナットを連接し、前記ナット環状縁内部には、ネジ山部を設置し、前記入水コネクター下半部には、ネジ山部を設置する
ことを特徴とする
請求項１或いは２に記載の入浴用水素水混合装置。
【請求項５】
前記入水コネクター底部には、漏斗部を設置する
ことを特徴とする
請求項１或いは２に記載の入浴用水素水混合装置。
【請求項６】
前記水素ガスコネクター中央には、開口を貫通するように設置し、前記水素ガスコネクターの環状の周囲には、ナットを連接し、しかも前記ナット片側には、ネジ山部を設置する
ことを特徴とする
請求項１或いは２に記載の入浴用水素水混合装置。
【請求項７】
前記本体の入水コネクターは、水道の蛇口の出水端位置に連接される
ことを特徴とする
請求項１に記載の入浴用水素水混合装置。
【請求項８】
前記本体の水素ガスコネクターは、水素生成器の水素供給管一端に連接される
ことを特徴とする
請求項７に記載の入浴用水素水混合装置。
【請求項９】
前記本体底部の出水口は、給水管一端に連接され、しかも前記給水管の反対側の一端には、シャワーヘッドを連接する
ことを特徴とする
請求項８に記載の入浴用水素水混合装置。
【考案の詳細な説明】
【技術分野】
【０００１】
本考案は入浴用水素水混合装置に関し、特に水素ガスと水の混合技術で、入浴或いは手足や顔の洗浄に用いる水素水混合技術領域に関する。
【背景技術】
【０００２】
テクノロジーの進歩と健康維持に関する意識の高まりに従い、健康関連商品がますます消費者に受け入れられるようになっており、これら商品は人体の健康維持を確実に補助することができる。
多くの研究が実証しているように、水素元素を加えた水素水は、フリーラジカルを減少させる効用を含むため、人体の抗酸化と健康にプラスの効果をもたらす。
そのため、水素水の応用が世界的に進められており、  例えば、水素水を飲料水に応用すれば、水素水の保健効能を発揮させることができる。
【０００３】
考案者は人体最大の臓器が皮膚であり、入浴方式により皮膚を通して、皮膚に水素元素を取り込ませれば、人体が水素元素を取り込むための理想的な方式であると考え、そしてこれは研究により実証された。
【０００４】
入浴への伝統的な水素水の応用には多くの問題が存在する。
例えば、水素水生成器の給水量はあまりにも少なく、水素水生成までに長い時間を待たなければならず、浴室環境への電気設備設置には安全上考慮が必要である。
循環水システムを応用した一種の従来の技術は、バスタブから水をポンプで吸い出し、水素ガスを加えた後に再びバスタブ内に戻すもので、これを持続的に循環させ水素を加える方式により、水素をバスタブ内の水に混合するものである。
しかし、この種のシステムでは、ポンプの設置により各種問題が派生している。
ポンプの作動には交流電力が必要なため、専門業者でなければ配置ができず、しかもポンプ作動時には大きな騒音が発生する。
また、コストが高過ぎ、使用寿命という問題もあり、さらに伝統方式は水量が少なく、長く待つ必要があり、さらには交流電力を浴室内で使用するため、安全上の懸念がある。
このため、従来の商品は販売或いは使用時に消費者から少なくない批判が寄せられている。
考案者は上記の欠点に鑑み、ポンプの使用が不要な水素水混合構造を開発した。
これにより、専門人員による取り付け、設置が不要で、浴室内の水道の蛇口に直接結合して使用可能とするものである。
【考案の概要】
【考案が解決しようとする課題】
【０００５】
前記先行技術には、水素水生成器の給水量が少なく、水素水生成まで長い時間を待たなければならず、浴室環境への電気設備設置に安全上の懸念があり、またポンプを設置することで、専門業者に依頼しなければならず、ポンプ作動時の騒音が大きく、コストが高いという欠点がある。
【課題を解決するための手段】
【０００６】
本考案は水道の蛇口に迅速に取り付ける方式で、住居の上水道と水素生成器の水素ガスとを十分に混合する目的を達成し、これにより取り付けが簡便で、既存の設備や構造に手を加える必要がないという長所と効果を達成でき、また特殊設計の構造を利用することで、水素元素と上水道の混合効果を高め、これにより水中の水素含有量を高め、人体に対する水素水の保健効果を確実に達成できる入浴用水素水混合装置に関する。
【０００７】
本考案による入浴用水素水混合装置は、本体、入水コネクター、水素ガスコネクターを有する。
【０００８】
一実施形態では、該本体は、三叉構造で、頂部には、入水口を開設し、該入水口は、該本体内部まで下方へと延伸し、側辺には入気口を連通し、しかも該入水口下端はさらに出水口を連接する。
該入水口内の環状縁には、ネジ山部を螺設し、該入気口内の環状縁にも、ネジ山部を螺設し、該出水口底部外の環状縁にも、ネジ山部を螺設する。
該出水口内部は、上が広く、下が狭いラッパ型形状を呈する。
【０００９】
一実施形態では、該入水コネクターは、該本体の入水口位置に螺設される。
該入水コネクター中央には、穿孔を貫通するように設置し、該入水コネクター頂部には、ナットを連接し、該ナット環状縁内部には、ネジ山部を設置し、該入水コネクター下半部にも、ネジ山部を設置し、しかも該入水コネクター底部には、漏斗部を設置する。
【００１０】
一実施形態では、該水素ガスコネクターは、該本体の入気口位置に螺設される。
該水素ガスコネクター中央には、開口を貫通するように設置し、該水素ガスコネクターの環状の周囲には、ナットを連接し、しかも該ナット片側には、ネジ山部を設置する。
【００１１】
一実施形態では、該本体に連接される入水コネクターは、水道の蛇口の出水端位置に連接される。
【００１２】
一実施形態では、該本体に連接される水素ガスコネクターは、水素生成器の水素供給管一端に連接される。
【００１３】
一実施形態では、該本体底部の出水口は、必要に基づき、ネジ山部を通して給水管一端に連接され、しかも該給水管の反対側の一端には、シャワーヘッドを連接する。
【図面の簡単な説明】
【００１４】
【図１】本考案の立体外観図である。
【図２】本考案の立体分解図である。
【図３】本考案の断面動作状態模式図である。
【図４】本考案実施時の全体配置立体模式図である。
【考案を実施するための形態】
【００１５】
（一実施形態）
図１、図２、図３に示す通り、本考案による入浴用水素水混合装置は、本体１、入水コネクター２、水素ガスコネクター３を有する。
【００１６】
本体１は、三叉構造で、頂部には、入水口１１を開設する。
入水口１１は、本体１内部まで下方へと延伸し、側辺には入気口１２を連通し、しかも入水口１１下端はさらに出水口１３を連接する。
入水口１１内の環状縁には、ネジ山部１１１を螺設し、入気口１２内の環状縁にも、ネジ山部１２１を螺設し、出水口１３底部外の環状縁にも、ネジ山部１３１を螺設する。
出水口１３内部は、上が広く、下が狭いラッパ型形状を呈する。
【００１７】
入水コネクター２は、本体１の入水口位置１１に螺設される。
入水コネクター２中央には、穿孔２０を貫通するように設置し、入水コネクター２頂部には、ナット２２を連接する。
ナット２２内部には、ネジ山部２１を設置する。
入水コネクター２下半部にも、ネジ山部２３を設置し、しかも入水コネクター２底部には、漏斗部２４を設置する。
漏斗部２４は、上が広く下が狭い形状を呈する。
【００１８】
水素ガスコネクター３は、本体１の入気口１２位置に螺設される。
水素ガスコネクター３中央には、開口３０を貫通するように設置し、水素ガスコネクター３の環状の周囲には、ナット３１を連接する。
しかも、ナット３１に隣接し、ネジ山部３２を設置する。
【００１９】
入水コネクター２を、本体１の入水口位置１１に組み付け、水素ガスコネクター３を、本体１の入気口１２位置に組み付け、入浴用水素水混合装置を完成させる。
【００２０】
図３に示す通り、上水道が入水コネクター２から本体１の入水口位置１１に入ると、入水コネクター２底部には上が広く下が狭い漏斗部２４が設置されているため、上水道は下方へと流動を加速する。
これと同時に、水素ガスは、本体１側辺の水素ガスコネクター３から本体１へ入り、上水道が上から下方へと迅速に流動することで生じるベンチュリー管原理を受けて、内部へと迅速に流動し、こうして上水道と十分に混合される。
混合後の水素水は、上が広く下が狭いラッパ型出水口１３を経て迅速に給水され、使用に供される。
【００２１】
図４に示す通り、本体１に連接される入水コネクター２は、水道の蛇口５の出水端位置に連接される。
本体１に連接される水素ガスコネクター３は、水素生成器４の水素供給管４１一端に連接される。
本体１底部の出水口１３からは直接放水でき、或いはネジ山部１３１を通して給水管６１一端に連接され、しかも給水管６１の反対側の一端には、シャワーヘッド６を連接する。
【００２２】
前述した本考案の実施形態は本考案を限定するものではなく、よって、本考案により保護される範囲は後述される実用新案登録請求の範囲を基準とする。
【符号の説明】
【００２３】
１  本体、
１１  入水口、
１１１    ネジ山部、
１２  入気口、
１２１    ネジ山部、
１３  出水口、
１３１    ネジ山部、
２  入水コネクター、
２０  穿孔、
２１  ネジ山部、
２２  ナット、
２３  ネジ山部、
２４  漏斗部、
３  水素ガスコネクター、
３０  開口、
３１  ナット、
３２  ネジ山部、
４  水素生成器、
４１  水素供給管、
５  水道の蛇口、
６１  給水管、
６  シャワーヘッド。
【図１】
0003232558.tif 000003
【図２】
0003232558.tif 000004
【図３】
0003232558.tif 000005
【図４】
0003232558.tif 000006
【手続補正書】
【提出日】令和3年4月22日(2021.4.22)
【手続補正１】
【補正対象書類名】実用新案登録請求の範囲
【補正対象項目名】請求項３
【補正方法】変更
【補正の内容】
【請求項３】
前記出水口内部は、上流側が狭く、下流側が広いラッパ型形状を呈する
ことを特徴とする
請求項１に記載の入浴用水素水混合装置。